(57)【要約】【課題】エラーにより成分採血が途中で中断された場合においても、ディスポーザブルユニットと採取された血液と有効利用する。【解決手段】血液成分採取装置１０は、血液が流通する流路を含む採血キット１４と、該採血キット１４が装着され、成分採血の工程の制御をする装置本体１２とを有する。採血キット１４には、読み書き可能な記憶部１７４を含むＲＦＩＤ１７２が設けられ、装置本体１２には、ＲＦＩＤ１７２に対する読み書きを行う送受信部９８が設けられている。装置本体１２は、複数種類のエラー検出手段を備え、エラーが検出されたときに成分採血を中断するとともに、送受信部９８はドナー情報２００、設定情報２０２及びエラー情報２０４をＲＦＩＤ１７２に対して書き込む。ＲＦＩＤ１７２に書き込まれた情報は、交換した装置本体１２において読み込まれ、エラー発生時の状況から再開できる。【選択図】図２
2008067779.tif 000002
【特許請求の範囲】
【請求項１】
ドナーから採取した血液を分離した後、所定の血液成分を採取する血液成分採取装置において、
血液が流通する流路を含むディスポーザブルユニットと、
前記ディスポーザブルユニットが装着され、前記複数の工程の制御をする装置本体と、
を有し、
前記ディスポーザブルユニットには、読み書き可能な情報記憶媒体が設けられ、
前記装置本体には、前記情報記憶媒体に対する読み書き手段が設けられていることを特徴とする血液成分採取装置。
【請求項２】
請求項１記載の血液成分採取装置において、
前記装置本体は、複数種類のエラーを検出するエラー検出手段を備え、
前記エラー検出手段によってエラーが検出されたときに成分採血を中断するとともに、前記読み書き手段はエラーに関する情報を前記情報記憶媒体に対して書き込むことを特徴とする血液成分採取装置。
【請求項３】
請求項２記載の血液成分採取装置において、
前記エラーに関する情報は、エラーの種類を示す情報を含み、
前記装置本体は、装着された前記ディスポーザブルユニットの前記情報記憶媒体から前記エラーの種類を示す情報を読み取り、該エラーの種類に基づいて処理を開始することを特徴とする血液成分採取装置。
【請求項４】
請求項２記載の血液成分採取装置において、
前記エラーに関する情報は、採血を中断したときの工程に関する情報を含み、
前記装置本体は、装着された前記ディスポーザブルユニットの前記情報記憶媒体から前記工程に関する情報を読み取り、該工程から処理を開始する途中開始手段を有することを特徴とする血液成分採取装置。
【請求項５】
請求項１記載の血液成分採取装置において、
前記装置本体は、ドナー情報入力手段を備え、
前記読み書き手段は、前記ドナー情報入力手段から得られたドナーに関する情報を前記情報記憶媒体に対して書き込むことを特徴とする血液成分採取装置。
【請求項６】
請求項５記載の血液成分採取装置において、
前記装置本体は、装着された前記ディスポーザブルユニットの前記情報記憶媒体から前記ドナーに関する情報を読み取って出力装置に表示し、所定の確認入力が得られた後に処理を開始することを特徴とする血液成分採取装置。
【請求項７】
請求項１記載の血液成分採取装置において、
前記装置本体は、ドナー情報入力手段と、
前記ドナー情報入力手段から得られたドナーに関する情報に基づいて前記装置本体の動作の設定情報を求める動作設定手段と、
を有し、
前記読み書き手段は、前記動作設定手段から得られた設定情報を前記情報記憶媒体に対して書き込むことを特徴とする血液成分採取装置。
【請求項８】
請求項７記載の血液成分採取装置において、
前記装置本体は、装着された前記ディスポーザブルユニットの前記情報記憶媒体から前記設定情報を読み取り、該設定情報に基づいて動作の設定をすることを特徴とする血液成分採取装置。
【請求項９】
請求項１〜８のいずれか１項に記載の血液成分採取装置において、
前記ディスポーザブルユニットは、前記装置本体に対して装着されるカセットを有し、
前記情報記憶媒体は前記カセットに設けられていることを特徴とする血液成分採取装置。
【請求項１０】
ドナーから採取した血液を分離した後、所定の血液成分を採取する血液成分採取装置の装置本体に装着されるディスポーザブルユニットであって、
血液が流通する流路と、
前記装置本体に設けられた読み書き手段によって所定の情報を読み書き可能な情報記憶媒体と、
を有することを特徴とするディスポーザブルユニット。
【請求項１１】
請求項１０に記載のディスポーザブルユニットにおいて、
前記所定の情報は、前記装置本体のエラーに関する情報、ドナーに関する情報及び前記装置本体の動作の設定情報の１以上の情報であることを特徴とするディスポーザブルユニット。
【請求項１２】
ドナーから採取した血液を分離した後、所定の血液成分を採取する血液成分採取装置の装置本体であって、
血液が流通する流路と、読み書き可能な情報記憶媒体とを備えたディスポーザブルユニットが装着され、
前記情報記憶媒体に対する読み書き手段を有することを特徴とする装置本体。
【発明の詳細な説明】
【技術分野】
【０００１】
本発明は、ドナーから採取した血液を分離した後、所定の血液成分を採取する血液成分採取装置、及び該血液成分採取装置を構成するディスポーザブルユニットと装置本体とに関する。
【背景技術】
【０００２】
採血には、血液をそのまま採取する全血採血と、所定の成分のみを取り出す成分採血がある。成分採血では、ドナーから採取した血液を遠心分離することにより所定の成分を抽出し、他の成分についてはドナーに返還する。これにより、必要な成分（血漿や血小板）については全血採血よりも多く採取することができ、しかも他の成分については返還をすることからドナーの負担を軽減することができる。また、このような成分採血を自動的に行うための血液成分採取装置が実用化されている。
【０００３】
血液成分採取装置は、ドナー毎に交換して用いられる滅菌されたディスポーザブルユニットと、該ディスポーザブルユニットが装着され全工程の主体的な制御をする装置本体とを有する。ディスポーザブルユニットは穿刺針と、該穿刺針に接続されて血液が流通する流路と、遠心分離を行う遠心ボウルと、分離された血液成分を採取するバッグ等を有する。
【０００４】
装置本体とディスポーザブルユニットとは正しい組合わせで用いなければならない。このような観点から、ディスポーザブルユニットユニットにバーコードを設けることによって種類の識別を行うとともに、装置本体には該ディスポーザブルユニットに応じたプロトコルが記録されたメモリーカードを挿入して読み込み実行する装置が提案されている（例えば、特許文献１参照）。
【０００５】
【特許文献１】特開平９−１６４１９４号公報
【発明の開示】
【発明が解決しようとする課題】
【０００６】
成分採血の工程には採血工程、遠心分離工程、及び返血工程等があり、全工程を終了するまでには時間がかかる。ところで、これらの工程の間に何らかの理由によって処理を続行できなくなった場合には、それまでの処理に要した時間が無駄になってしまい、ドナーに対して迷惑を与えかねない。
【０００７】
また、前記の通りディスポーザブルユニットには流路の他に遠心ボウルやバッグが設けられており、採血及び遠心分離を行っている最中には相当量の血液が蓄えられており、処理の続行ができなくなった場合には、蓄えられた血液及びディスポーザブルユニット自体が有効利用されないことになりかねない。
【０００８】
さらに、全ての処理が正常に終了した場合であっても、ディスポーザブルユニットを装置本体から取り外した後には、該ディスポーザブルユニットには何らの識別手段もなく、例えば、いつどのようなドナーから採取されたものであるのか管理が困難であり、手書き識別等に頼らざるを得ない。
【０００９】
本発明はこのような課題を考慮してなされたものであり、採血から返血までの一連の工程で、処理が中断された場合であっても、それまでに得られた血液を有効に利用することのできる血液成分採取装置、ディスポーザブルユニット及び装置本体を提供することを目的とする。
【００１０】
また、本発明は、ディスポーザブルユニットが使用された履歴を明らかにし、装着された機器で適切な処理を行うことのできる血液成分採取装置、ディスポーザブルユニット及び装置本体を提供することを目的とする。
【課題を解決するための手段】
【００１１】
本発明に係る血液成分採取装置は、ドナーから採取した血液を分離した後、所定の血液成分を採取する血液成分採取装置において、血液が流通する流路を含むディスポーザブルユニットと、前記ディスポーザブルユニットが装着され、前記複数の工程の制御をする装置本体とを有し、前記ディスポーザブルユニットには、読み書き可能な情報記憶媒体が設けられ、前記装置本体には、前記情報記憶媒体に対する読み書き手段が設けられていることを特徴とする。
【００１２】
また、本発明に係るディスポーザブルユニットは、ドナーから採取した血液を分離した後、所定の血液成分を採取する血液成分採取装置の装置本体に装着されるディスポーザブルユニットであって、血液が流通する流路と、前記装置本体に設けられた読み書き手段によって所定の情報を読み書き可能な情報記憶媒体とを有することを特徴とする。
【００１３】
さらに、本発明に係る装置本体は、ドナーから採取した血液を分離した後、所定の血液成分を採取する血液成分採取装置の装置本体であって、血液が流通する流路と、読み書き可能な情報記憶媒体とを備えたディスポーザブルユニットが装着され、前記情報記憶媒体に対する読み書き手段を有することを特徴とする。
【００１４】
このように、ディスポーザブルユニットに情報記憶媒体を設けるとともに、装置本体に読み書き手段を設けることにより、成分採血における所定の情報を装置本体から情報記憶媒体に書き込んでおくことができる。したがって、採血から返血までの一連の工程で、処理が中断された場合であっても、装置本体を交換し、又はエラー要因を取り除いた後に、該装置本体は情報記憶媒体から必要な情報を読み込んで、成分採血を再開することができ、それまでに得られた血液を有効に利用することができる。
【００１５】
この場合、前記装置本体は、複数種類のエラーを検出するエラー検出手段を備え、前記エラー検出手段によってエラーが検出されたときに採血を中断するとともに、前記読み書き手段はエラーに関する情報を前記情報記憶媒体に対して書き込むようにしてもよい。これにより、成分採血を再開するときには、情報記憶媒体に記録されたエラーに関する情報に基づいて、適切な対応をとることができる。
【００１６】
前記エラーに関する情報は、エラーの種類を示す情報を含み、前記装置本体は、装着された前記ディスポーザブルユニットの前記情報記憶媒体から前記エラーの種類を示す情報を読み取り、該エラーの種類に基づいて処理を開始してもよい。
【００１７】
また、前記エラーに関する情報は、採血を中断したときの工程に関する情報を含み、前記装置本体は、装着された前記ディスポーザブルユニットの前記情報記憶媒体から前記工程に関する情報を読み取り、該工程から処理を開始する途中開始手段を有していてもよい。これにより、成分採血を中断時点と同じ工程から再開できる。
【００１８】
前記装置本体は、ドナー情報入力手段を備え、前記読み書き手段は、前記ドナー情報入力手段から得られたドナーに関する情報を前記情報記憶媒体に対して書き込むようにしてもよい。これにより、ドナーと使用されたディスポーザブルユニットとの対応が明確になる。
【００１９】
前記装置本体は、装着された前記ディスポーザブルユニットの前記情報記憶媒体から前記ドナーに関する情報を読み取って出力装置に表示し、所定の確認入力が得られた後に処理を開始すると、誤った対応が防止できる。
【００２０】
前記装置本体は、ドナー情報入力手段と、前記ドナー情報入力手段から得られたドナーに関する情報に基づいて前記装置本体の動作の設定情報を求める動作設定手段とを有し、前記読み書き手段は、前記動作設定手段から得られた設定情報を前記情報記憶媒体に対して書き込むようにしてもよい。
【００２１】
前記装置本体は、装着された前記ディスポーザブルユニットの前記情報記憶媒体から前記設定情報を読み取り、該設定情報に基づいて動作の設定をすると、装置本体の各種設定を迅速且つ正確に行うことができる。
【００２２】
前記ディスポーザブルユニットは、前記装置本体に対して装着されるカセットを有し、前記情報記憶媒体は前記カセットに設けられていてもよい。これにより、情報記憶媒体が装置本体に隣接（又は接触）することになり、情報の読み書きがより確実に行われる。前記所定の情報は、前記装置本体のエラーに関する情報、ドナーに関する情報及び前記装置本体の動作の設定情報の１以上の情報であってもよい。
【発明の効果】
【００２３】
本発明に係る血液成分採取装置、ディスポーザブルユニット及び装置本体では、ディスポーザブルユニットには情報記憶媒体が設けられるとともに、装置本体には読み書き手段が設けられる。これにより成分採血における所定の情報を装置本体から情報記憶媒体に書き込んでおくことができる。したがって、採血から返血までの一連の工程で、処理が中断された場合であっても、装置本体を交換し、又はエラー要因を取り除いた後に、該装置本体は情報記憶媒体から必要な情報を読み込んで、成分採血を再開することができ、それまでに得られた血液を有効に利用することができる。
【発明を実施するための最良の形態】
【００２４】
以下、本発明に係る血液成分採取装置、ディスポーザブルユニット及び装置本体についての実施の形態として、血液成分採取装置１０、採血キット（ディスポーザブルユニット）１４及び装置本体１２を挙げ、添付の図１〜図１０を参照しながら説明する。
【００２５】
図１に示すように、血液成分採取装置１０は、装置本体１２と、該装置本体１２に装着される採血キット１４とを有する。採血キット１４は、成分採血において血液が流通する流路や採取した血液成分を貯溜するバッグ等を有するディスポーザブルユニットであって、予め所定の滅菌処理がなされている。
【００２６】
装置本体１２は、箱形の機構本体部１５と、該機構本体部１５の背面左右から上方に延在する第１支柱１６ａ及び第２支柱１６ｂと、第１支柱１６ａの上端左側に設けられた重量計１８と、第２支柱の上端部に設けられたモニタ２０と、第１支柱１６ａの右側に設けられた複室バッグ１２６の有無を検出するバッグ検出センサ２１と第２支柱１６ｂの右側に設けられた除菌フィルター１１４の有無を検出するセンサ２３ａ及び気泡除去用チャンバー１１２の有無及び抗凝固剤の滴下を検出するセンサ２３ｂとを有する。モニタ２０は血液成分採取装置１０の入出力装置であり、大型のカラータッチパネル（ドナー情報入力手段、出力装置）２０ａと、スピーカ２０ｂとを有し、画像及び音声を用いた簡易な操作が可能である。スピーカ２０ｂはステレオ式である。
【００２７】
機構本体部１５は左側の制御機構部２２と、右側の遠心分離機構部（分離手段）２４とからなる。制御機構部２２は、血液成分採取装置１０の全体を統括的に制御する制御部２６と、血液ポンプ２８と、抗凝固剤ポンプ３０と、濁度センサ３２と、６つの気泡センサ３４ａ、３４ｂ、３４ｃ、３４ｄ、３４ｅ、３４ｆと、７つのクランプ３６ａ、３６ｂ、３６ｃ、３６ｄ、３６ｅ、３６ｆ、３６ｇと、ドナー圧力センサ３８と、システム圧力センサ４０とを有する。濁度センサ３２及び各気泡センサ３４ａ〜３４ｆとしては、それぞれ、例えば、超音波センサ、光学式センサ、赤外線センサ等を用いることがきる。濁度センサ３２と気泡センサ３４ｄは一体的に構成されている。
【００２８】
遠心分離機構部２４は採血キット１４の遠心ボウル（遠心分離器）１２０が装着され、該遠心ボウル１２０内に導入された血液を遠心分離する機構部である。
【００２９】
遠心ボウル１２０の設定回転速度としては、例えば４２００〜５８００ｒｐｍ程度に設定される。これにより、貯血空間内の血液は内層より血漿層（ＰＰＰ層）、バフィーコート層（ＢＣ層）及び赤血球層（ＣＲＣ層）に分離される。遠心ボウルの近傍には、血漿層とバフィーコート層との界面（以下、単に界面と呼ぶ。）の位置に応じて変化する透過率から該界面の位置を検出する光学式センサ６２（図３参照）が設けられている。
【００３０】
制御部２６は、機構本体部１５の内部に設けられている。制御機構部２２における制御部２６以外の機器は、採血キット１４のチューブが装着可能なように上面、前面及び支柱に設けられている。
【００３１】
血液ポンプ２８及び抗凝固剤ポンプ３０は、チューブ側面にローラを押圧させながら連続的に転動させることにより内部の血液を押し出すローラポンプ式であり、血液に対して非接触の状態で駆動可能である。また、血液ポンプ２８及び抗凝固剤ポンプ３０は、制御部２６の作用下に速度及び流体吐出方向が可変である。血液ポンプ２８は、採血時には所定の正方向に回転することにより血液を引き込む吸引ポンプとして作用し、返血時には逆方向に回転することにより血液成分をチューブ１０４に送り出す吐出ポンプとして作用する。
【００３２】
濁度センサ３２は、挟み込まれたチューブ内を通過する液体の濁度を検出するセンサである。気泡センサ３４ａ〜３４ｆは、挟み込まれたチューブ内を通過する液体の有無又は気泡を検出するセンサである。クランプ３６ａ〜３６ｇは、挟み込まれたチューブを両側から押圧して閉じ、又は開放して連通させ、回路の切り替えを行う開閉バルブとしての作用を奏する。これらのクランプ３６ａ〜３６ｇは、カセットハウジング４２がはめ込み可能なように制御機構部２２の上面における一区画に集中配置されている。カセットハウジング４２は採血キット１４のチューブの多くの部分を一体的に集約、配置するための樹脂製部材であり、該カセットハウジング４２を制御機構部２２の上面のカセット装着部２２ａにはめ込むことにより所定のチューブが対応するクランプ３６ａ〜３６ｇによって開閉可能に配置される。
【００３３】
ドナー圧力センサ３８は、採血キット１４における採血経路系統（採血回路）１４ａ（図３参照）の一部が差し込まれ、採血ラインの圧力を示すドナー圧力Ｐｄを計測するセンサであり、採血時には採血圧力センサとして作用し、返血時には返血圧力センサとして作用する。
【００３４】
システム圧力センサ４０は、処理経路系統１４ｂ（図３参照）の一部が差し込まれ、回路内の圧力を示すシステム圧力（回路内圧力）Ｐｓを計測するセンサである。なお、装置本体１２にセットされた状態の採血キット１４におけるチューブの配置は本発明の要旨ではないので、図１においてはチューブの一部を省略して図示している。
【００３５】
図２に示すように、制御部２６は、出力用として血液ポンプドライバ７６と、抗凝固剤ポンプドライバ７８と、モータドライバ８０と、クランプドライバ８２とを有し、血液ポンプ２８、抗凝固剤ポンプ３０、モータ６４及びクランプ３６ａ〜３６ｇを制御する。血液ポンプドライバ７６は、血液ポンプ２８の速度及び吐出方向を制御する。抗凝固剤ポンプドライバ７８は、抗凝固剤ポンプ３０の速度を制御する。モータドライバ８０はモータ６４の回転速度を制御する。クランプドライバ８２は、クランプ３６ａ〜３６ｇを個別に開閉制御する。
【００３６】
また、制御部２６は、各センサの入力制御を行う入力インターフェース８４と、モニタ２０の入出力を行うモニタインターフェース８６とを有する。さらに、制御部２６は、各機能部と協動して採血処理動作を制御するモード制御部８８と、各センサの入力信号等に基づいて複数種類のエラーの監視を行う異常監視部（エラー検出手段）９０と、所定のプログラムやデータの記憶を行う記憶部９２と、タイマ９４と、外部機器とのデータ通信を行う通信部９６とを有する。なお、記憶部９２に記憶されるデータの詳細については後述する（図６参照）。
【００３７】
制御部２６内の機能の一部は、記憶部９２に記録されたプログラムを図示しないＣＰＵによって読み込み実行することにより実現される。
【００３８】
制御部２６は送受信部９８に接続されており、該送受信部９８を介して採血キット１４に設けられたＲＦＩＤ（情報記憶媒体、図４参照）１７２に対してデータの読み書きを行うことができる。送受信部９８は、ＲＦＩＤ１７２の近傍となるようにカセット装着部２２ａ（図４参照）の側面に埋め込まれている。ＲＦＩＤ１７２と送受信部９８との間には電波を遮蔽又は減衰する部材がないことが望ましい。
【００３９】
図３に示すように、採血キット１４は、ドナーから血液を採取及び返還するための採血経路系統１４ａと、採取した血液を遠心分離又は循環等させる処理経路系統１４ｂとを有する。
【００４０】
採血経路系統１４ａは、ドナーに穿刺する中空の採血針１００と、一端が採血針１００に接続されて他端が分岐継手１０２を介して処理経路系統１４ｂに接続されたチューブ１０４と、該チューブ１０４の途中に設けられたチャンバー１０６と、抗凝固剤が入った抗凝固剤容器１０７（図１参照）に接続される抗凝固剤容器接続用針１０８と、一端が該抗凝固剤容器接続用針１０８に接続されたチューブ１１０と、該チューブ１１０の途中に設けられた気泡除去用チャンバー１１２及び除菌フィルター（異物除去用フィルター）１１４とを有する。チューブ１０４とチューブ１１０は、採血針１００の近傍に設けられた分岐継手１１６により接続されている。
【００４１】
チューブ１０４（及び後述するチューブ１４０）は採血、返血に共用であり、採血ライン及び返血ラインとして作用する。
【００４２】
チャンバー１０６は、チューブ１０４を通過する血液中の気泡及びマイクロアグリゲートを除去する。チャンバー１０６の一端にはチューブ１０４から分岐した短いチューブ１１８が設けられている。該チューブ１１８の端部は通気性かつ菌不透過性のフィルター（図示せず）に接続されるとともに、ドナー圧力センサ３８に挿入されており、ドナー圧力Ｐｄを計測可能である。
【００４３】
抗凝固剤容器接続用針１０８に接続された抗凝固剤容器１０７には、ＡＣＤ−Ａ液のような抗凝固剤が蓄えられている。チューブ１１０の一部は抗凝固剤ポンプ３０に装着されており、該抗凝固剤ポンプ３０の作用下に抗凝固剤容器接続用針１０８から供給された抗凝固剤はチューブ１１０及び分岐継手１１６を介してチューブ１０４内の血液中に抗凝固剤が混入される。チューブ１１０の途中には気泡センサ３４ａが装着される。
【００４４】
チャンバー１０６と分岐継手１０２との間には、気泡センサ３４ｂ及びクランプ３６ａが装着される。クランプ３６ａは分岐継手１０２の近傍に装着されており、クランプ３６ａを開くことにより採血経路系統１４ａと処理経路系統１４ｂは連通する。チューブ１０４には直列して２つの気泡センサ３４ｅ及び３４ｆが装着されており、気泡や空気を確実に検知することができる。
【００４５】
処理経路系統１４ｂは遠心ボウル１２０と、血漿採取バッグ１２２と、血小板採取バッグ１２４と、中間バッグ１２６ａと、エアーバッグ１２６ｂと、バッグ１２８と、白血球除去フィルター１３０とを有する。
【００４６】
血漿採取バッグ１２２及び血小板採取バッグ１２４は、遠心分離等の処理により得られた血漿及び血小板を蓄えるバッグである。血漿採取バッグ１２２は重量計１８（図１参照）のフック１８ａに懸架され、収納された血漿の重量を計測することができる。血小板採取バッグ１２４は、機構本体部１５の前面に懸架される（図１参照）。
【００４７】
中間バッグ１２６ａは、採取した血小板（濃厚血小板）を一時的に貯留するための容器である。エアーバッグ１２６ｂは、回路内の無菌空気を一時的に収納するための容器である。エアーバッグ１２６ｂと中間バッグ１２６ａとは、回路的には分離した独立の容器であるが、物理的には一体的であって複室バッグ１２６を構成している。複室バッグ１２６はバッグ検出センサ２１（図１参照）のフック２１ａに懸架される。
【００４８】
採血を行う際には、遠心ボウル１２０の貯血空間内等の空気はエアーバッグ１２６ｂ内に移送され、収納される。返血工程の際には、エアーバッグ１２６ｂ内に収納されている空気は、貯血空間内に戻され、所定の血液成分が、ドナーへ返還される。
【００４９】
バッグ１２８は血小板採取バッグ１２４に接続されたバッグであり、成分採血の終了後、血小板採取バッグ１２４内の空気を排出する際に用いられる。
【００５０】
血漿採取バッグ１２２、血小板採取バッグ１２４、中間バッグ１２６ａ、エアーバッグ１２６ｂ及びバッグ１２８は、それぞれ樹脂製（例えば、軟質ポリ塩化ビニル）の可撓性を有するシート材を重ね、その周縁部を融着（熱融着、高周波融着、超音波融着等）または接着剤により接着等して袋状にしたものが使用される。
【００５１】
なお、血小板採取バッグ１２４に使用されるシート材としては、血小板保存性を向上するためにガス透過性に優れるものを用いることがより好ましい。このようなシート材としては、例えば、ポリオレフィンやＤｎＤＰ可塑化ポリ塩化ビニル等を用いることができる。
【００５２】
白血球除去フィルター１３０は、中間バッグ１２６ａから血小板採取バッグ１２４に血液成分を移送する際に、血液成分中の白血球を分離除去するフィルターである。図１から明らかなように、白血球除去フィルター１３０は、中間バッグ１２６ａより低く、血小板採取バッグ１２４より高い位置に配置される。
【００５３】
次に、処理経路系統１４ｂの各構成機器を接続するチューブについて説明する。処理経路系統１４ｂの端部である分岐継手１０２と遠心ボウル１２０の導入口との間はチューブ１４０で接続されている。該チューブ１４０の一部は血液ポンプ２８に装着される。したがって、血液ポンプ２８を正転させることにより血液を採血経路系統１４ａから遠心ボウル１２０内に導入し、又は処理経路系統１４ｂ内で所定の循環動作を行うことができる。また、血液ポンプ２８を逆転させることにより、所定の血液成分を採血経路系統１４ａに導出し、ドナーに返還することができる。
【００５４】
遠心ボウル１２０の排出口にはチューブ１４２が接続されており、該チューブ１４２は分岐継手１４４を介して三つ股に分岐してチューブ１４６、チューブ１４８及びチューブ１５０に接続されている。チューブ１４２は、濁度センサ３２及び気泡センサ３４ｄに直列的に接続されている。
【００５５】
チューブ１４６はエアーバッグ１２６ｂに接続されており、その途中はクランプ３６ｅに装着されている。チューブ１４８の端部は通気性かつ菌不透過性のフィルター（図示せず）に接続されるとともに、システム圧力センサ４０に挿入されており、システム圧力Ｐｓを計測可能である。
【００５６】
チューブ１５０の端部は血漿採取バッグ１２２に接続されており、その途中には分岐継手１５２が設けられ、チューブ１５４を介して中間バッグ１２６ａに接続されている。チューブ１５４はクランプ３６ｄに装着されている。分岐継手１５２と血漿採取バッグ１２２との間のチューブ１５０はクランプ３６ｃに装着されている。
【００５７】
中間バッグ１２６ａと血小板採取バッグ１２４との間はチューブ１５６により接続されており、その途中には白血球除去フィルター１３０が設けられている。
【００５８】
中間バッグ１２６ａと血小板採取バッグ１２４との間のチューブ１５６は、気泡センサ３４ｃ及びクランプ３６ｇに装着されている。白血球除去フィルター１３０の端部には、チューブ１５６から短く分岐したフィルター１６０が設けられている。フィルター１６０はベントフィルター及びキャップからなる。
【００５９】
気泡センサ３４ｃとクランプ３６ｇとの間のチューブ１５６には分岐継手１６２が設けられ、チューブ１６４を介して、血漿採取バッグ１２２に接続されている。チューブ１６４の途中には分岐継手１６６が設けられている。該分岐継手１６６と分岐継手１０２との間はチューブ１６８により接続されている。分岐継手１６２と分岐継手１６６との間のチューブ１６４はクランプ３６ｆに装着されている。チューブ１６８における分岐継手１０２の近傍部には、クランプ３６ｂが装着されている。血小板採取バッグ１２４とバッグ１２８はチューブ１５８により接続されている。
【００６０】
採血キット１４には、チューブが集中配置されたカセットハウジング４２、及びチューブの一部と白血球除去フィルター１３０とを保持するフィルターカセット１７０（図１参照）が設けられている。カセットハウジング４２は、カセット装着部２２ａを介して装置本体１２に装着される（図１及び図４参照）。
【００６１】
図４に示すように、カセットハウジング４２の端部にはＲＦＩＤ（RADIO FREQUENCY IDENTIFICATION）１７２が組み込まれており、送受信部９８とともにＲＦＩＤシステムを構成している。ＲＦＩＤシステムは、電波を利用して非接触で情報の読み出し及び書き込みを行なう情報記憶媒体を含む認識システムである。
【００６２】
ＲＦＩＤ１７２は小型、軽量、廉価及び電源が不要という利点がある。また、非接触でデータ通信を行うことからコネクティング作業が不要であり、しかも汚れや等による通信不良がない。ＲＦＩＤ１７２は例えばラベル型又はタグ型のものを用いるとよい。ＲＦＩＤ１７２には、通信部９６によって読み書きが行われる不揮発性の記憶部（情報記憶媒体）１７４（図２参照）が設けられている。
【００６３】
図５に示すように、記憶部９２には、少なくともドナー情報２００、設定情報２０２及びエラー情報２０４が記録される領域が確保されている。
【００６４】
ドナー情報２００はドナーに関する情報であって、ドナーＨＴ２００ａ、ドナー血小板濃度２００ｂ、ドナー身長２００ｃ、ドナー体重２００ｄ、ドナー性別２００ｅ、採血番号２００ｆ及び採血日時２００ｇ等を有する。ドナーＨＴ２００ａ、ドナー血小板濃度２００ｂ、ドナー身長２００ｃ、ドナー体重２００ｄ及びドナー性別２００ｅについては、予めの検査又はドナーの申告に基づいて決定され、カラータッチパネル２０ａ（図１参照）を用いて入力される。ドナーＨＴ２００ａはヘマクトクリット値である。採血番号２００ｆは、ドナーやドナーから採血した血液を識別するために設定される管理上の番号である。採血日時２００ｇはその採血が開始された日時を示すデータである。これらのドナー情報２００は、成分採血を行う最初の段階で記憶部９２に記録される。
【００６５】
設定情報２０２は成分採血をする際の装置本体１２の設定に関する情報であって、プロトコル２０２ａ、遠心速度２０２ｂ、採血速度２０２ｃ、返血速度２０２ｄ、ＡＣＤ比率２０２ｅ、サイクル設定２０２ｆ、目標ＰＣ量２０２ｇ及び目標ＰＰＰ量２０２ｈ等を有する。
【００６６】
プロトコル２０２ａは、実行されたプロトコルを示すコードであり、ＰＣプロトコルは「１」、ＰＰＰプロトコルは「２」、白血球除去ＰＣプロトコルは「３」、初流血採取・白血球除去ＰＣプロトコルは「４」等の値が割り当てられる。遠心速度２０２ｂは血液を遠心分離する際に遠心ボウル１２０を回転させる速度である。採血速度２０２ｃは採血時の血液ポンプ２８の送液速度である。返血速度２０２ｄは返血時の血液ポンプ２８の送液速度である。なお、遠心速度２０２ｂ、採血速度２０２ｃ及び返血速度２０２ｄは必ずしも１つずつのデータであるとは限らず、工程に応じて複数のデータから構成されるものであってもよい。
【００６７】
ＡＣＤ比率２０２ｅは血液に対する抗凝固剤の添加量の比率であり、血液ポンプ２８の回転速度に対する抗凝固剤ポンプ３０の回転速度の比率で表される。サイクル設定２０２ｆは一連の採血及び返血の工程を何サイクル行うかについてのデータである。目標ＰＣ量２０２ｇ及び目標ＰＰＰ量２０２ｈは採取する血小板及び血漿の目標値である。
【００６８】
これらの設定情報２０２は、ドナー情報２００に基づいて動作設定手段により求められ、成分採血を行う最初の段階で記憶部９２に記録される。
【００６９】
エラー情報２０４は、成分採血を行っている最中にトラブルが発生した場合で、成分採血を中断する場合（以下、中断時という。）における、そのトラブルに関する情報を示すものであり、使用状態２０４ａ、エラー番号２０４ｂ、現在工程番号２０４ｃ、現在サイクル２０４ｄ、現在ＰＣ量２０４ｅ、現在ＰＰＰ量２０４ｆ、現在血小板数２０４ｇ及び現在体外循環量２０４ｈ等を有する。
【００７０】
使用状態２０４ａは、複数の種類の使用状態のうち、いずれの状態かを示すデータである。具体的には、エラー番号２０４ａは、回路使用前（初期状態）、使用中、使用後等の状態を示す。
【００７１】
エラー番号２０４ｂは予め定義された複数の種類のエラーのうち、いずれのエラーが発生したのかを示すデータである。エラー番号２０４ｂの記録領域には、初期状態で「０」が記録されており、エラーが発生すると該エラーの種類に応じた「１」以上の値が記録される。
【００７２】
現在工程番号２０４ｃ及び現在サイクル２０４ｄは、中断時に行われていた工程及びサイクルの番号である。現在ＰＣ量２０４ｅ及び現在ＰＰＰ量２０４ｆは中断時に得られていた血小板及び血漿の量であり、複室バッグ１２６及び血漿採取バッグ１２２の内容量を計測することにより求められる。複室バッグ１２６の血小板量は、血小板採取工程で、血小板濃度及びポンプ速度から計算して求められる。血漿採取バッグ１２２の血漿量は、血漿採取バッグ１２２の重量を重量計１８で計測することにより求められる。現在血小板数２０４ｇはエラーによる処理中断時に得られていた血小板数であり濁度センサ３２で計測した血小板濃度と血小板採取中のポンプ速度により求められた値である。
【００７３】
現在体外循環量２０４ｈは、そのサイクルにおいて中断時にドナーから採取されて採血キット１４内に蓄えられている血液及び血液成分の量（脱血量）であり、血液ポンプ２８の回転方向及び回転数の積算により求められる。これらのエラー情報２０４は、中断時に記憶部９２に記録される。
【００７４】
図６に示すように、ＲＦＩＤ１７２の記憶部１７４は記憶部９２と同様の構成で、ドナー情報２００、設定情報２０２及びエラー情報２０４が記録される領域が確保されている。ドナー情報２００としてはドナーＨＴ２００ａ、ドナー血小板濃度２００ｂ、ドナー身長２００ｃ、ドナー体重２００ｄ、ドナー性別２００ｅ、採血番号２００ｆ及び採血日時２００ｇが記録される領域が確保されている。設定情報２０２としてはプロトコル２０２ａ、遠心速度２０２ｂ、採血速度２０２ｃ、返血速度２０２ｄ、ＡＣＤ比率２０２ｅ、サイクル設定２０２ｆ、目標ＰＣ量２０２ｇ及び目標ＰＰＰ量２０２ｈが記録される領域が確保されている。エラー情報２０４としては使用状態２０４ａ、エラー番号２０４ｂ、現在工程番号２０４ｃ、現在サイクル２０４ｄ、現在ＰＣ量２０４ｅ、現在ＰＰＰ量２０４ｆ、現在血小板数２０４ｇ及び現在体外循環量２０４ｈが記録される領域が確保されている。
【００７５】
次に、血液成分採取装置１０により成分採血を行う手順について図７〜図１０を参照しながら説明する。なお、下記に示す処理に先だって、採血キット１４を装置本体１２に装着し、チューブ１１０とチューブ１０４の採血針１００からチャンバー１０６までを抗凝固剤でプライミングし、その後、ドナーの血管に採血針１００を穿刺しておくものとする。この後、モニタ２０のカラータッチパネル２０ａを操作することによって図７に示すメイン処理が、主に制御部２６の作用下に自動的に行われる。なお、マルチタスク等の手法により、図７のメイン処理と同時並行的に図９に示すエラー検出処理が行われる。
【００７６】
図７に示すように、メイン処理では、先ずＳ１において初期処理を行う。この初期処理は図８に示す手順で行われる。
【００７７】
図８のステップＳ１０１においてエラー確認処理を行う。すなわち、送受信部９８によりＲＦＩＤ１７２のエラー番号２０４ｃを読み込み、その値が初期状態を示す「０」であれば通常処理であるステップＳ１０２へ進み、エラーを示す「１」以上の値であれば再開処理であるステップＳ１０６へ進む。エラー番号２０４ｃが「１」以上である場合には、採血キット１４が少なくとも１度使用されて、エラーによって中断したことを示しているので、該エラーに対応する処理を行うためである。
【００７８】
ステップＳ１０２において、ドナー情報２００をカラータッチパネル２０ａから入力する。
【００７９】
ステップＳ１０３において、入力されたドナー情報２００を装置本体１２の記憶部９２に記録するとともに、送受信部９８を介してＲＦＩＤ１７２の記憶部１７４にも記録する。
【００８０】
ステップＳ１０４（動作設定手段）において、ドナー情報２００等に基づいて設定情報２０２を算出する。
【００８１】
ステップＳ１０５において、算出された設定情報２０２を装置本体１２の記憶部９２に記録するとともに、送受信部９８を介してＲＦＩＤ１７２の記憶部１７４にも記録する。また、算出された設定情報２０２に基づいて各機器の設定を行う。例えば、機器の動作を規定するプログラム動作上の所定のパラメータに設定情報２０２の値を代入し、又は所定のドライバ（例えばモータドライバ８０）を設定情報２０２の値により初期設定する。
【００８２】
このステップＳ１０５後、図７のステップＳ２へ移る。ステップＳ１０６〜Ｓ１１０については説明の便宜上、後述する。
【００８３】
図７に戻り、ステップＳ２において第１の血漿採取工程を行う。この第１の血漿採取工程は、遠心ボウル１２０の貯血空間内に血液を導入して遠心分離することにより得られる血漿を血漿採取バッグ１２２内に採取する工程である。
【００８４】
ここで、血液（抗凝固剤添加血液）は、チューブ１０４を介して移送され、遠心ボウル１２０の導入口よりロータの貯血空間内に導入される。このとき、遠心ボウル１２０内の空気は、チューブ１４２及びチューブ１４６を介してエアーバッグ１２６ｂ内に送り込まれる。
【００８５】
貯血空間内に所定量の血液が導入された状態で遠心ボウル１２０のロータの回転を開始する。ロータの回転数はステップＳ９まで一定に維持される。ロータの回転により、貯血空間内に導入された血液は、内側から血漿層、バフィーコート層、赤血球層の３層に遠心分離される。なお、第２サイクル以降は、血液ポンプ２８と同時にモータ６４を駆動する。
【００８６】
ステップＳ３において、チューブ１４２に設けられた気泡センサ３４ｄの信号を監視し、チューブ１４２を流れる流体が空気から血漿に変わったことを検出した後クランプ３６ｅを閉じるとともにクランプ３６ｃを開放する。貯血空間の容量を越える血液が貯血空間内に導入されると、遠心ボウル１２０の排出口から血漿が流出することから、このタイミングを気泡センサ３４ｄにより検出してクランプ操作を行い、チューブ１４２及びチューブ１５０を介して血漿を血漿採取バッグ１２２内に導入、採取するように切り替える。血漿採取バッグ１２２に導入された血漿の重量は、重量計１８により計測される。重量計１８から得られる重量信号に基づき、血漿採取バッグ１２２内に所定量の血漿が採取されたことが確認された後ステップＳ４へ移る。
【００８７】
ステップＳ４において、定速血漿循環工程を行う。定速血漿循環工程は、血漿採取バッグ１２２内の血漿を貯血空間を含む循環回路で定速にて循環させる工程である。つまり、クランプ３６ａを閉じ、クランプ３６ｂを開放するとともに抗凝固剤ポンプ３０を停止する。これにより、採血を一時中断するとともに、血漿採取バッグ１２２内の血漿を循環させる経路が形成される。この循環回路は、血漿採取バッグ１２２からチューブ１６４、１６８及び１４０を介して貯血空間内に至り、遠心ボウル１２０の排出口から流出してきた血漿をチューブ１４２及び１５０を介して血漿採取バッグ１２２内に回収する経路である。この定速血漿循環工程を所定時間行った後、ステップＳ５へ移る。
【００８８】
ステップＳ５において、第２の血漿採取工程を行なう。第２の血漿採取工程では、第１の血漿採取工程と同様に血漿の採取及び遠心分離を行なう。これにより、貯血空間内の赤血球量が増加、すなわち、赤血球層の層厚が増大するのに伴い、界面も徐々に遠心ボウル１２０の回転軸に近づくので、光学式センサ６２からの検出信号に基づいて界面が所定レベルに到達したことを確認した後、ステップＳ６へ移る。
【００８９】
ステップＳ６において加速血漿循環工程を行なう。加速血漿循環工程は、血漿採取バッグ１２２内の血漿を貯血空間内に加速させながら循環回路内で循環させる工程である。血漿の循環速度が所定速度に到達した後、ステップＳ７へ移る。
【００９０】
ステップＳ７において第３の血漿採取工程を行う。第３の血漿採取工程では、第１及び第２の血漿採取工程と同様に、血漿の採取を行なう。血漿採取バッグ１２２内に所定量の血漿が採取されたことが確認された後、ステップＳ８へ移る。
【００９１】
ステップＳ８において血小板採取工程を行なう。血小板採取工程は血漿採取バッグ１２２内の血漿を、貯血空間内で第１の加速度にて加速させながら循環させ、次いで、第１の加速度より大きい第２の加速度に変更し、該第２の加速度にて加速させながら循環させて、貯血空間内より血小板を流出させ、濃厚血小板を中間バッグ１２６ａ内に採取（貯留）する工程である。血小板採取工程において所定の操作を行った後、クランプ３６ｅを開放し、この他のクランプ３６ａ〜３６ｄ、３６ｆ及び３６ｇを閉じた状態とし、血液ポンプ２８を停止する。
【００９２】
ステップＳ９においてモータ６４の回転数を制御してロータを減速及び停止させる。
【００９３】
ステップＳ１０において返血工程を開始する。返血工程はロータの貯血空間内に残存する血液成分（主に、赤血球、白血球）をドナーに返血する工程である。つまり、クランプ３６ａ及びクランプ３６ｅを開放するとともに、血液ポンプ２８を逆転する。これにより、ロータの貯血空間内に残存する血液成分は遠心ボウル１２０の導入口から排出され、チューブ１０４（採血針１００）を介してドナーに返血（返還）される。
【００９４】
この後、所定の終了条件に基づいて返血工程を終了する。
【００９５】
ステップＳ１１において、所定のサイクル数を終了したか否かを確認し、未終了であるときにはステップＳ２へ戻り採血、返血等の処理を続行する。
【００９６】
なお、最終サイクル時には、ステップＳ５で濾過工程を開始する。濾過工程は、中間バッグ１２６ａ内に一時的に採取（貯留）した濃厚血小板を、白血球除去フィルター１３０に供給して、濃厚血小板の濾過、すなわち、濃厚血小板中の白血球の分離除去を行なう工程である。白血球が除去された濃厚血小板は血小板採取バッグ１２４に貯溜される。
【００９７】
次に、図９に示すエラー検出処理について説明する。前記のとおり、エラー検出処理は図７のメイン処理と同時並行的に行われる。このエラー検出処理は、例えば前記の異常監視部９０の作用下に行われる。
【００９８】
ステップＳ２０１においてエラーが発生したか否かを確認し、エラーが発生していないときには確認処理を継続する。エラーが発生した場合にはステップＳ２０２へ移る。
【００９９】
エラーの検出は複数種類のエラーについて行われてエラー番号２０４ｂが割り振られ、例えば、供給電圧低下の場合には「１」、遠心ボウル回転不良の場合には「２」、血液ポンプ回転不良の場合には「３」、抗凝固剤ポンプ回転不良の場合には「４」、各種センサ異常の場合には「６」が設定される。
【０１００】
エラー番号２０４ｂの記憶領域には、初期状態は「０」、採血が開始されると「１」が記憶され、採血が終了すると「２」が記録される。エラー番号２０４ａが「０」の場合には装置を交換したと判断し、途中から作動し、「２」の場合には採血キット１４の再使用を禁止する。
【０１０１】
なお、軽微なエラーであって直ちに成分採血を中断する必要のない場合には、適当な警告を出力し、又は適当な復帰処理をしながら成分採血を続行してもよい。
【０１０２】
ステップＳ２０２において、その時点で得られているエラー情報２０４を送受信部９８を介してＲＦＩＤ１７２の記憶部１７４に記録する。なお、前記のドナー情報２００及び設定情報２０２のＲＦＩＤ１７２への記録は、この時点でエラー情報２０４とともに一括して行ってもよい。
【０１０３】
エラー番号２０４ｂ以外のエラー情報２０４は、エラーが発生した時点ではなく、所定の間隔で（例えば各サイクル毎に）、又はリアルタイムで記憶部１７４に記録してもよい。
【０１０４】
エラー情報２０４のエラー番号２０４ｂは、発生したエラーの数に基づき１又は複数個を記録する。また、電源が落ちた場合には、表示よりも記録を優先して行う。
【０１０５】
なお、エラー情報２０４はオペレータが認識可能なように、カラータッチパネル２０ａに表示する。
【０１０６】
ステップＳ２０３において、モータ６４、血液ポンプ２８及び抗凝固剤ポンプ３０を停止させるなどの後処理を行い、成分採血を中断する。
【０１０７】
このようにして、成分採血中においてエラーが発生した場合には、図９に示す処理によってＲＦＩＤ１７２にエラー情報２０４が書き込まれるとともに、ドナー情報２００及び設定情報２０２は予め書き込まれていることから、成分採血を中断するまでにはこれらの全ての情報がＲＦＩＤ１７２に蓄えられることになる。特に、エラー情報２０４については、その時点の最新の情報が書き込まれる。
【０１０８】
この後、オペレータはカラータッチパネル２０ａに表示されたエラー情報に基づいて所定の対応を行う。例えば、電源が落ちた場合には、電源投入を試み、リカバーできないときには交換用の装置を起動し、採血キットを移し替える。
【０１０９】
また、供給電圧低下の場合（エラー番号２０４ｂが「１」の場合）には、例えば停電等の場合であり、すぐに電源が復旧した場合には成分採血を再開する。
【０１１０】
さらに、機器の不良の場合（エラー番号２０４ｂが「２」〜「５」の場合）で、これらの機器がすぐに回復したときにはそのまま成分採血を再開する。不良の機器がすぐに回復しない場合には、図１０に示すように使用中の採血キット１４を現在使用中の装置本体１２ａから別の装置本体１２ｂに移設した後に成分採血を再開する。この入れ換え作業は簡便であって迅速に行うことができる。
【０１１１】
また、この移設作業は採血針１００をドナーにつけたまま行うことから、基本的に採血キット１４に対してドナーの入れ違えは発生しない。
【０１１２】
次に、供給電圧低下及び機器不良等の場合において成分採血を再開する手順について説明する。
【０１１３】
成分採血を再開する場合には、前記と同様の手順により初期処理（ステップＳ１）が行われ、この中のエラー確認処理であるＳ１０１（図８参照）において、送受信部９８によりＲＦＩＤ１７２のエラー番号２０４ｂを読み込む。この場合、該エラー番号２０４ｂは、エラー発生により「０」以外の値となっていることからステップＳ１０６へ移る。
【０１１４】
ステップＳ１０６において、ＲＦＩＤ１７２の記憶部１７４に記録された情報、つまりドナー情報２００、設定情報２０２及びエラー情報２０４を読み込む。
【０１１５】
ステップＳ１０７においてドナー情報２００に基づく反映処理を行う。すなわち、読み込んだドナー情報２００を記憶部９２の所定の領域に書き込む。
【０１１６】
また、読み込んだドナー情報２００はカラータッチパネル２０ａに表示され、オペレータ又はドナーは採血番号や成分採血記録等の手持ちの資料と照合する等して確認することにより、該ドナーと使用された採血キット１４との対応をより明確にする。
【０１１７】
これにより、ドナー情報２００の再入力が不要となり、再開操作が簡便となる。
【０１１８】
ステップＳ１０８において設定情報２０２に基づく反映処理を行う。すなわち、読み込んだ設定情報２０２を記憶部９２の所定の領域に書き込むとともに、装置本体１２の各機器を該情報に基づいて設定する。例えば、機器の動作を規定するプログラム動作上の所定のパラメータに設定情報２０２の値を代入し、又は所定のドライバ（例えばモータドライバ）を設定情報２０２の値により初期設定する。
【０１１９】
このとき、設定情報２０２はＲＦＩＤ１７２に記録されていたデータをそのまま用いればよく、ドナー情報２００に基づく再計算をする必要はないため、再開処理を迅速にすることができる。
【０１２０】
ステップＳ１０９においてエラー情報２０４に基づく反映処理を行う。すなわち、読み込んだエラー情報２０４を記憶部９２の所定の領域に書き込むとともに、該情報に基づいて所定の設定をする。
【０１２１】
この設定とは、先ず、工程番号２０４ｃ及び現在サイクル２０４ｄを対応するパラメータに代入し、エラー発生時に中断した時点との工程、サイクルを設定する。
【０１２２】
また、現在ＰＣ量２０４ｅ、現在ＰＰＰ量２０４ｆ、現在血小板数２０４ｇ及び現在体外循環量２０４ｈについても対応するパラメータに代入し、それまでに採取したＰＣ量、ＰＰＰ量、ＰＬＴ及び体外循環量が反映され、成分採血を再開した後には、これらの値を基準に対してさらに積算等をすることによりその時点における各採取量を正確に認識できる。
【０１２３】
さらに、エラー番号２０４ｂを参照し、エラーの種類に基づく処理を行う。
【０１２４】
また、機器の不良の場合（エラー番号２０４ｂが「２」〜「５」の場合）には、簡単な操作をして装置が回復するかを調べて、すぐに回復したときには、そのまま成分採血を再開し、すぐに回復しないときには、別の装置に採血キット１４を移し替えて速やかに採血を開始させる。その後、対象機器は別途重点的に故障箇所を調べて修理する。
【０１２５】
さらにまた、エラーによる中断の時刻をＲＦＩＤ１７２に記録しておき、読み取った該時刻と別のクロックから得られる現在時刻との差が所定時間以上であるときには再開を禁止してもよい。
【０１２６】
ステップＳ１１０（途中開始手段）において、ＲＦＩＤ１７２から読み取った工程番号２０４ｃ及び現在サイクル２０４ｄに対応するプログラムのルーチンにジャンプする処理を行う。これにより、図７における対応するルーチンに移り、エラー発生時に中断した時点と同じ工程、同じサイクルから再開し、エラー発生前の状況がそのまま維持されて成分採血を継続することができる。
【０１２７】
このとき、エラー停止時点が採血工程の場合には、装置交換の際に遠心動作を止めるため、分離状態は崩壊する。したがって、少なくとも一端遠心ボウル内の血液をドナーに返し、次のサイクルに移行する。このとき、予定サイクル数を自動的に「１」増加させる。
【０１２８】
なお、最終的に成分採血が終了したとき、ＲＦＩＤ１７２に記録されたドナー情報２００、設定情報２０２及びエラー情報２０４は消去せずにそのまま残しておいてよい。このように情報をＲＦＩＤ１７２に残しておくことにより、採血キット１４を装置本体１２から取り外した後にも、どのようなドナーからどのような履歴で採血されたかを所定の読み取り装置を用いて認識することができる。また、使用済みであることも確認することができる。
【０１２９】
上述したように、本実施の形態に係る血液成分採取装置１０によれば、採血キット１４にＲＦＩＤ１７２を設けるとともに、装置本体１２に対応した送受信部９８を設けることにより成分採血における各種の情報を装置本体１２からＲＦＩＤ１７２に書き込んでおくことができる。したがって、採血から返血までの一連の工程で、エラーにより処理が中断された場合であっても、装置本体１２を交換し、又はエラー要因を取り除いた後に、該装置本体１２はＲＦＩＤ１７２から必要な情報を読み込み、エラー発生前の状況を維持・継続して成分採血を再開することができる。これにより、それまでに得られた血液、血液成分及び採血キット１４自体を処分する必要がなく、これらを有効に利用することができる。特に、採血キット１４を他の装置本体１２ｂに移設した場合であっても、移設先において採血キット１４の使用履歴が認識可能であって、該履歴に基づいて適切な処理を行うことができる。
【０１３０】
また、ドナーに採血針を刺し直して採血キット１４に採取した血液を返血する必要がないので、ドナーが受ける違和感を抑制又は防止することができる。さらに、ドナーが採血針１００の刺し直しを拒否することを回避することができる。
【０１３１】
なお、ＲＦＩＤ１７２が設けられる箇所はカセットハウジング４２に限らず、例えば、血漿採取バッグ１２２、血小板採取バッグ１２４、複室バッグ１２６又は白血球除去フィルター１３０等に設けられていてもよい。この場合、対応する送受信部９８はＲＦＩＤ１７２の近傍に設けておけばよい。
【０１３２】
ＲＦＩＤ１７２には、製造工程において予め製造年月日、使用期限及びシリアル番号等を記録しておいてもよい。また、該情報に基づいて使用期限が過ぎていると判断される場合には成分採血を禁止するとよい。
【０１３３】
採血キット１４に設けられる情報記憶媒体は必ずしも非接触式に限らず、例えばコネクタを備えるメモリカードをカセットハウジング４２内蔵したものでもよく、該カセットハウジング４２を装置本体１２に装着したときにコネクタ同士が接続されるように設定しておけばよい。
【０１３４】
本発明に係る血液成分採取装置、ディスポーザブルユニット及び装置本体は、上述の実施の形態に限らず、本発明の要旨を逸脱することなく、種々の構成を採り得ることはもちろんである。
【図面の簡単な説明】
【０１３５】
【図１】本実施の形態に係る血液成分採取装置を示す斜視図である。
【図２】制御部のブロック構成図である。
【図３】本実施の形態に係る採血キットの回路図である。
【図４】本実施の形態に係る装置本体の一部拡大概略断面図である。
【図５】本実施の形態に係る装置本体の記憶部の内容を示す図である。
【図６】ＲＦＩＤの記憶部の内容を示す図である。
【図７】血液成分採取装置で行われる成分採血の手順を示すフローチャートである。
【図８】初期処理の手順を示すフローチャートである。
【図９】エラー検出処理の手順を示すフローチャートである。
【図１０】採血キットを移設する様子を示す模式図である。
【符号の説明】
【０１３６】
１０…血液成分採取装置                １２、１２ａ、１２ｂ…装置本体
１４…採血キット                      ２０…モニタ
２２…制御機構部                      ２４…遠心分離機構部
２６…制御部                          ２８…血液ポンプ
３０…抗凝固剤ポンプ                  ３４ａ〜３４ｆ…気泡センサ
３６ａ〜３６ｇ…クランプ              ３８…ドナー圧力センサ
４０…システム圧力センサ              ９０…異常監視部
９２、１７４…記憶部                  ９８…送受信部
１００…採血針                        １２２…血漿採取バッグ
１２４…血小板採取バッグ              １７２…ＲＦＩＤ（情報記憶媒体）
２００…ドナー情報                    ２０２…設定情報
２０４…エラー情報
【図１】
2008067779.tif 000003
【図２】
2008067779.tif 000004
【図３】
2008067779.tif 000005
【図４】
2008067779.tif 000006
【図５】
2008067779.tif 000007
【図６】
2008067779.tif 000008
【図７】
2008067779.tif 000009
【図８】
2008067779.tif 000010
【図９】
2008067779.tif 000011
【図１０】
2008067779.tif 000012